(57)【要約】      （修正有）【課題】ホースにホースクランプを締め付ける前にホースに関連するホースクランプを事前に位置決めすること。【解決手段】ホースクランプと突起を備えたホースとの接続において、ホースを囲むホースクランプは、ホースに締め付ける前に突起間に事前に位置決めされる。ホースクランプの両側に配置された突起が隙間を備え、ホースクランプの内側に固定された固定帯の横方向に突出するタブが積極的なロック方法で、これらの隙間に結合することで達成される。この方法によるとホースの円周方向に向かってホースクランプに力をかけると、タブが突起に支えられ固定帯がホースクランプに固定されているためにホースクランプは回転しない。【選択図】図１
2004169911.tif 000002
【特許請求の範囲】
【請求項１】
ホースクランプ（２）と突起（４）を備えたホース（１）との接続であって、
前記ホース（１）に前記ホースクランプ（２）を締め付ける前に、該ホース（１）を囲む該ホースクランプ（２）が、前記突起（４）の間に事前に位置決めされる接続において、
前記ホースクランプ（２）の両側に配置され、且つ、隙間（５）を有する前記突起（４）と、
横方向に突出するタブ（７）を有し、且つ、前記ホースクランプ（２）の内側に固定される固定帯（６）と
を有し、
横方向に突出する前記タブ（７）は、積極的なロック方法で前記隙間（５）に結合することを特徴とする接続。
【請求項２】
前記ホースクランプ（２）は、重なり合う端部分（９，１０）を備えた締め付けバンド（３）を有し、前記固定帯（６）が、前記締め付けバンド（３）の前記重なり合う端部分（９，１０）の接続位置を覆うことを特徴とする請求項１に記載の接続。
【請求項３】
前記ホースクランプ（２）は、閉止ハウジング底部（１５）を有する閉止ハウジング（１１）を含むウォーム駆動ホースクランプであって、前記固定帯（６）が前記閉止ハウジング底部（１５）を越えて伸びることを特徴とする請求項１又は２に記載の接続。
【請求項４】
前記ホース（１）の前記突起（４）は、前記ウォーム駆動ホースクランプの締め付けネジ（１３）のヘッド（１２）が位置する前記閉止ハウジングの第１の側に位置付けされ、前記固定帯（６）の横方向のエッジの各々が、前記締め付けネジ（１３）の前記ヘッド（１２）の反対側で前記閉止ハウジング（１１）の第２の側に位置付けされる固定タブ（１９）を有し、該固定タブ（１９）の各々が、前記締め付けバンド（３）の横方向のエッジの両側に結合することを特徴とする請求項３に記載の接続。
【請求項５】
前記固定帯（６）の前記横方向のエッジは、前記閉止ハウジング（１１）の前記第１の側に、前記締め付けバンド（３）のためのガイドタブ（２０）を有し、該ガイドタブ（２０）が半径方向外向きに突出することを特徴とする請求項３又は４に記載の接続。
【請求項６】
前記ホース（１）は、該ホース（１）上に、前記閉止ハウジング（１１）にほぼ正反対に位置付けされる２つの補助突起（２１）を有し、該突起が、前記締め付けバンド（３）の横方向のエッジに結合することを特徴とする請求項３から５のいずれか１項に記載の接続。
【請求項７】
前記横方向に突出するタブ（７）は、前記ホース（１）の両円周方向に伸びる延長部分（８）を有し、該延長部分（８）は、鈍角で半径方向外向きに角度づけされ、前記隙間（５）は、各々が切り込みを備える側壁を有し、前記延長部分（８）は前記切り込みに結合することを特徴とする請求項１から７のいずれか１項に記載の接続。
【請求項８】
前記固定帯（６）が、半径方向外向きに曲げられる長手方向のエッジ（２２）を有することを特徴とする請求項１から７のいずれか１項に記載の接続。
【請求項９】
前記固定帯（６）が、金属から構成されることを特徴とする請求項１から８のいずれか１項に記載の接続。
【発明の詳細な説明】
【技術分野】
【０００１】
本発明は、突起を備えたホースへのホースクランプの接続に関し、ホースを囲むホースクランプはその突起間に配置され、ホースにホースクランプを締め付ける前にホースに関連するホースクランプを事前に位置決めすることを目的とする。
【背景技術】
【０００２】
この種類の既知の装置（独国特許出願３５４３７１７号Ａ１）において、突起は、円周に広がるビーズである。ホースクランプが、ホース上に単に緩く事前に位置決めされ、且つ、ホースと共にパイプソケット又はその種の物に取り付けられ、その後パイプソケットにホースを固定するために締め付けられる時、ビーズは、ホースクランプがホース上で軸方向に移動するのを防ぐ。
【０００３】
ホースクランプは、ホースに締め付けられない限り、ホース上で円周方向に回転可能である。多くの場合、特に、ホースクランプがウォーム駆動ホースクランプであって、ホースにホースクランプを締め付けるために、締め付けネジがスクリュードライバーで固定されなければならない時、これは望ましくない。ネジにスクリュードライバーを位置決めする時、ウォーム駆動ホースクランプがホース上を回転するため、ホースクランプはもはや固定され得ない。
【発明の開示】
【発明が解決しようとする課題】
【０００４】
本発明の目的は、ホースに緩く事前に位置決めされたホースクランプの配置において、ホース上のホースクランプの回転を防ぐ前述の種類の接続を提供することにある。
【課題を解決するための手段】
【０００５】
本発明によると、これは、ホースクランプの両側に配置された突起が隙間を備え、ホースクランプの内側に固定された固定帯の横方向に突出するタブが、積極的なロック方法でこれら隙間に結合することにより達成される。
【０００６】
この解決法によると、ホースの円周方向に向かってホースクランプに力をかける前及び時、タブが突起に支えられ、固定帯がホースクランプに固定されているため、ホースクランプは回転しない。
【０００７】
好ましくは、固定帯は、ホースクランプの締め付けバンドの重なり合う端部分の接続位置を覆う。固定帯は、同時に、ホース保護装置としての役割を果たし、接続位置でエッジを覆うようにしてエッジがホースに食い込むのを防ぎ、それにより、ホースがエッジによって傷つけられない。固定帯はまた、ホースクランプのエッジ又は段差によって生じるホース円周に関する締め付け圧の不均一な分配を実質的に防ぐ手段としての役割を果たす。それは、固定帯の端部が相応して薄く若しくは先細であり又は丸みを帯びているため、端部が実質的に連続する移行を形成するからである。
【０００８】
この方法において、ホースクランプは、ウォーム駆動ホースクランプの形式をとり得る。固定帯は、閉止（closure）ハウジング底部を越えて伸び、このようにして、ホースに関して軸方向に配置されたハウジング底部の横エッジに存在する段差と、閉止ハウジング内に固定された締め付けバンドの端部分の自由端に位置する段差とを覆う。
【０００９】
ホースの突起は、ウォーム駆動ホースクランプの締め付けネジが位置する側に位置付けされ、固定タブは、固定帯の各横方向のエッジにおいて、閉止ハウジングの締め付けネジヘッドの反対側に提供され且つウォーム駆動ホースクランプの締め付けバンドの横方向のエッジの両側に結合することが好ましい。このタイプの固定帯の接続は簡単であり且つ容易に実行されることができる。
【００１０】
好ましくは、ウォーム駆動ホースクランプの締め付けバンドのためのガイドタブが、締め付けネジヘッドが位置する側において、固定帯の各横方向のエッジに提供され、半径方向外向きに突出する。これらガイドタブは、ウォーム駆動ホースクランプの締め付け中に、閉止ハウジングから引き出された締め付けバンドの半径方向外側の端部分を横方向にガイドするだけでなく、締め付けバンドの締め付け中に、固定帯に関連する閉止ハウジングが横方向に旋回するのを防ぐ。
【００１１】
更に、ウォーム駆動ホースクランプの閉止ハウジングの正反対に、２つの補助突起が、締め付けバンドの両側のホース上に提供されることが好ましい。これら補助突起は、ウォーム駆動ホースクランプの締め付け中に、簡単な方法で、ホースの横軸についての閉止ハウジングの旋回運動と、ホースの縦軸に関してのホースクランプ平面の好ましくない歪んだ位置付けとを防ぐ。締め付けバンドの横方向のエッジは、そのときホース材料に食い込まない。
【００１２】
更なる実施形態が存在し得る。ホースの突起間の隙間に結合する固定帯のタブは、ホースの両円周方向に延長部分を有し、その延長部分は、鈍角で半径方向外向きに曲げられ、隙間の側壁の切り込みに結合する。この構成において、ホースクランプは、締め付ける前及び締め付ける前の内側直径がホースの直径に突起の高さを加えたものより大きい状態である間、半径方向に移動しない。
【００１３】
固定帯のエッジは、半径方向外向きに曲げられることができる。このようにして、ホース材料へのエッジの食い込みが防がれる。
【００１４】
好ましくは、固定帯は金属で形成される。この材料は、固定帯をより長く薄い金属バンドに切り且つ形成することができ、その後、必要な位置にタブを曲げることができる。
【発明を実施するための最良の形態】
【００１５】
図１に示されるように、ホース１と、ホース１について緩く事前に位置決めされたウォーム駆動ホースクランプとして示されるホースクランプ２との接続において、ホース１は、クランプ２の締め付けバンド３の両側それぞれに、２つの突起４を有し、それらは、ホース１のモノリシックな一部分として形成される。締め付けバンド３の片側にそれぞれ配置された２つの突起４は、該突起の間の隙間５を画定し、該隙間５は、反対側に配置された２つの突起４の間の隙間５と軸方向に整列する。隙間５の側壁は鋭角に切り落とされる。固定帯６から横方向に突出するタブ７が、積極的なロック方法で隙間５に結合する。また、図２、図３に示されるように、タブ７の各々は、ホース１の円周方向に伸び且つ鈍角で外向きに突出する２つの延長部分８を有する。図１に示されるように、固定帯６が隙間５から抜け落ちないように、タブ７は、隙間５の側壁の切り込みの下部に結合する。
【００１６】
ホースクランプ２は、閉止ハウジング１１によって構成され、ホース１において突起４がホースクランプの締め付けネジ１３のヘッド１２側に位置付けされるように、閉止ハウジング１１は、締め付けバンド３の重なり合う端部分９，１０の接続位置を形成する。締め付けネジ１３は、ハウジング１１に回転可能に支持され、締め付けバンド３の半径方向外側の端部分９の外側のネジ山部分１４にかみ合う。固定帯６は、閉止ハウジング底部１５の下部を覆い、その内側にもう一方の端部分１０が固定され、又、閉止ハウジング底部１５の軸方向の横エッジ１６及び端部分１０の自由端１７も覆う。ハウジング底部１５は、端部分１０に備えられた半径方向内側に突出する溝１８の間に掛けられる。
【００１７】
固定帯６の各横方向のエッジ上に、固定タブ１９が提供され、その固定タブは、ホースクランプ２の取り付けにおいて、閉止ハウジング１１の締め付けネジヘッド１２の反対側に位置決めされ、締め付けバンド３の横方向のエッジの両側にそれぞれ結合する。ガイドタブ２０が、ホースクランプ２の締め付けバンド３のために、固定帯６の締め付けネジヘッド１２の側で各横方向のエッジに提供される。ガイドタブ２０は、半径方向外向きに突出する。固定帯６の長手方向のエッジ２２は、上方及び半径方向外向きに曲げられる。
【００１８】
締め付けバンド３の両側を横方向に支える突起４は、一方では、ホース１のホースクランプ２の軸方向の移動を防ぐ。他方では、閉止ハウジング１１の片側にあるホース１の突起４間に、固定帯６のタブ７を結合し、及び、固定タブ１９によって閉止ハウジング１１の他方の側で締め付けバンド３に固定帯６を留める結果として、特に、ホース１にホースクランプ２を締め付けてホース１とホースクランプ２とが事前に位置付けされたパイプソケットにホース１を締め付けるために、締め付けネジ１３がスクリュードライバーによって固定される時、ホースクランプ２は、ホース１の円周方向に回転しない。補助突起２１間で締め付けバンド３が横方向に固定され、締め付けネジ１３の固定時に、ホース１の横軸について、ホースクランプ２の旋回を防ぐので、固定時の締め付けバンド３は、そのエッジでホース材料に食い込むことはない。ガイドタブ２０は、ホースクランプの締め付け中に、締め付けネジによってハウジングから引き出された端部分９の一部が、突起４間に入りガイドされる前に横方向に旋回するのを防ぐ。上方に突出する固定帯６の長手方向のエッジ２２は、固定帯６の長手方向のエッジがホース材料に食い込むのを防ぐ。固定帯６によって、閉止ハウジング１１の底部１５の横エッジ１６と端部分１０の自由端１７とを覆うことは、エッジがホース材料に食い込むのを防ぎ、且つ、ホース１及びホースクランプ２間におけるホース円周についての不均一な締め付け圧を実質的に補償する。更に、固定帯６の端部で横方向に広がる段差は、図４に示されるように、端部を先細にし、傾斜を与え、又は、丸み部分を提供することによって防止される。
【００１９】
本発明の原理を説明するために、本発明の具体的な実施形態が示され、詳細に述べられたが、本発明は、そのような原理から外れることなく、別の方法でも実施され得ると理解されるであろう。
【図面の簡単な説明】
【００２０】
【図１】通常のウォーム駆動ホースクランプとホースとの、本発明に従う接続の斜視図であり、ホースクランプがホースに事前に位置決めされ、未だ締め付けられていないところを示している。
【図２】本発明に従う接続の固定帯に接続されたウォーム駆動ホースクランプの側面図である。
【図３】固定帯を備えた図２に従うウォーム駆動ホースクランプの平面図である。
【図４】本発明に従う固定帯の無地板金であり、金属帯状に切られ且つ形成され、そのタブと長手方向のエッジを曲げる前の状態を示している。
【符号の説明】
【００２１】
１  ホース
２  ホースクランプ
３  締め付けバンド
４  突起
５  隙間
６  固定帯
７  タブ
８  延長部分
９，１０  重なり合う端部分
１１  閉止ハウジング
１２  締め付けネジヘッド
１３  締め付けネジ
１４  ネジ山部分
１５  閉止ハウジング底部
１６  閉止ハウジングの横エッジ
１７  自由端
１８  溝
１９  固定タブ
２０  ガイドタブ
２１  補助突起
２２  固定帯の長手方向のエッジ
【図１】
2004169911.tif 000003
【図２】
2004169911.tif 000004
【図３】
2004169911.tif 000005
【図４】
2004169911.tif 000006
【外国語明細書】
2004169911.tif 000007
2004169911.tif 000008
2004169911.tif 000009
2004169911.tif 000010
2004169911.tif 000011
2004169911.tif 000012
2004169911.tif 000013
2004169911.tif 000014
2004169911.tif 000015
2004169911.tif 000016
2004169911.tif 000017
2004169911.tif 000018
2004169911.tif 000019
2004169911.tif 000020
2004169911.tif 000021
2004169911.tif 000022
2004169911.tif 000023